(57)【要約】【課題】  エレベータのかご室内部に設置された階数表示用のインジケータをリニューアルすることによって生じるかご室内部の外観上の不具合を解消することができると共に、リニューアル費用を安価にすることができるかご室ミラーを提供する。【解決手段】  かご室の幕板６には階数表示用のインジケータを取り付けるための開口部１１が形成されている。幕板６の内面側には開口部１１に対向するようにかご室ミラー１３が設置されている。かご室ミラー１３は、開口部１１を塞ぐプレート状部材１２を覆い隠すように形成されている。【選択図】      図２
2007055769.tif 000002
【特許請求の範囲】
【請求項１】
かご室の内壁に階数表示用のインジケータを取り付けるための開口部が形成されたエレベータに設置され、前記かご室の内部を映し出すためのかご室ミラーであって、前記開口部に対向するように前記内壁の内面側に設置されると共に、前記開口部を塞ぐ部材又は前記開口部を覆い隠すように形成されたことを特徴とするかご室ミラー。
【請求項２】
かご内操作盤を操作する乗客が、その背後にいる他の乗客を視認できるように設置されたことを特徴とする請求項１記載のかご室ミラー。
【発明の詳細な説明】
【技術分野】
【０００１】
本発明は、エレベータのかご室の内部を映し出すためのかご室ミラーに関する。
【背景技術】
【０００２】
エレベータのかご室には、かご室の内部を映し出すかご室ミラーが設置されることがある。このかご室ミラーは、乗客が自己の身だしなみや背後にいる他の乗客を確認したり、車椅子利用者が安全にエレベータを利用できるようにすること等を目的として設置されている。
【特許文献１】特開平８−３０１５５９号公報
【発明の開示】
【発明が解決しようとする課題】
【０００３】
ところで、エレベータのかご室内には、かご室が現在どの階を走行中であるかを乗客に知らせるための階数表示用のインジケータが設置されている。
【０００４】
このインジケータは、かご室の内壁（例えば幕板等）に取り付けられるが、インジケータの取り付け箇所にはインジケータを取り付けるための開口部が形成される。
【０００５】
近年、このインジケータを、旧来のドット式のもの（階数に応じた複数個のランプを備え、かご室が走行している階のランプを点灯させるようにしたもの）からデジタル式のもの（階数を液晶で表示するようにしたもの）に変更するリニューアルが行われており、幕板等に取り付けられたドット式のインジケータが取り外され、かご内操作盤等にデジタル式のインジケータが取り付けられることがある。
【０００６】
その際、ドット式のインジケータを取り外すことによって幕板等に開口部が露出すると外観的に好ましくないので、この開口部が目立たないようにする必要が有るが、幕板等を開口部が無いものに交換する場合にはリニューアル費用が高くなり、開口部を別部材で塞いだ場合には外観的にあまり好ましくないという問題点がある。
【０００７】
本発明は上述した事情に鑑みてなされたものであり、その目的は、エレベータのかご室内部に設置された階数表示用のインジケータをリニューアルすることによって生じるかご室内部の外観上の不具合を解消することができると共に、リニューアル費用を安価にすることができるかご室ミラーを提供することにある。
【課題を解決するための手段】
【０００８】
上述した目的を達成するために、本発明は、かご室の内壁に階数表示用のインジケータを取り付けるための開口部が形成されたエレベータに設置され、前記かご室の内部を映し出すためのかご室ミラーであって、前記開口部に対向するように前記内壁の内面側に設置されると共に、前記開口部を塞ぐ部材又は前記開口部を覆い隠すように形成されたことを特徴としている。
【発明の効果】
【０００９】
本発明によれば、階数表示用のインジケータをリニューアルすることによって露出する開口部又は開口部を塞ぐ部材を覆い隠すことができるので、外観が向上する。また、開口部が形成された内壁を交換するよりもリニューアル費用が安価となる。
【発明を実施するための最良の形態】
【００１０】
以下、本発明の一実施形態を図面に基づいて説明する。図１は第１の実施形態のかご室ミラーが取り付けられたかご室内部の正面図、図２は図１のＡ−Ａ線断面図である。
【００１１】
図１に示すように、かご室１は、天井２、側板３、床４、入口柱５、幕板６、かごドアパネル７、かご内操作盤８、階数表示用のデジタル式インジケータ９、照明器１０等を備えている。
【００１２】
図２に示すように、幕板６には、階数表示用のドット式インジケータ（図示せず）を取り付けるための開口部１１が形成されている。このかご室１は、ドット式インジケータを幕板６から取り外してデジタル式インジケータ９にリニューアルしたもので、開口部１１をプレート状部材１２により塞いでいる。
【００１３】
そして、幕板６の内面側には、開口部１１に対向するようにかご室ミラー１３が設置されている。このかご室ミラー１３は、かご内操作盤８を操作する乗客が背後にいる他の乗客を確認することができるように設置されており、乗客が身だしなみを確認するという機能の他に、防犯性を向上することができるという機能も有する。
【００１４】
かご室ミラー１３は、プレート状部材１２を覆い隠すことができる大きさに形成されており、乗客からはプレート状部材１２が見えにくいので、かご室１内の外観が向上する。
【００１５】
また、幕板６を開口部１１が無いものに取り替える場合よりもリニューアル費用が安価である。
【００１６】
次に、本発明の第２の実施形態を説明する。図３は第２の実施形態のかご室ミラーが取り付けられたかご室内部の要部正面図、図４は図３のＢ−Ｂ線断面図である。なお、以下の各実施形態において、その前に説明した実施形態と同一又は類似の部分には同一の符号を付してあり、重複する説明は省略してある。
【００１７】
本実施形態では、かご室ミラー１３が、開口部１１を塞ぐプレート状部材１２に対して取付ビス１４で固定されている。また、このかご室ミラー１３は、第１の実施形態よりも、プレート状部材１２に対する大きさが大きくなっており、第１の実施形態よりも乗客からプレート状部材１２が見えにくい。
【００１８】
次に、本発明の第３の実施形態を説明する。図５は第３の実施形態のかご室ミラーが取り付けられたかご室内部の要部断面図である。
【００１９】
本実施形態では、開口部１１に対応する大きさのプレート状部材１２が開口部１１に埋め込まれた状態で幕板６に固定され、かご室ミラー１３が取付ビス１４を介してプレート状部材１２に固定されている。かご室ミラー１３はプレート状部材１２を覆い隠すことができる大きさに形成されている。
【００２０】
このように、プレート状部材１２が開口部１１に埋め込まれることで、乗客からプレート状部材１２がより見えにくくなる。
【００２１】
次に、本発明の第４の実施形態を説明する。図６は第４の実施形態のかご室ミラーが取り付けられたかご室内部の要部正面図、図７は図６のＣ−Ｃ線断面図、図８は第４の実施形態のかご室ミラーの取り付け方法の説明図である。
【００２２】
本実施形態では、かご室ミラー１３の背面側に複数個のプレート状の引掛部材１６が横方向に間隔をおいて固定されている。図７に示すように、この引掛部材１６の縦幅は開口部１１の縦幅よりも大きくなっており、引掛部材１６の縁部が両面テープやマグネット等の固定手段１７を介して幕板１６に固定されている。
【００２３】
かご室ミラー１３を幕板６に取り付ける際には、図８に示すように、引掛部材１６を斜めにして開口部１１に挿入する。
【００２４】
かご室ミラー１３は、開口部１１を覆い隠すことができる大きさに形成されており、乗客からは開口部１１や引掛部材１６が見えにくい。
【００２５】
次に、本発明の第５の実施形態を説明する。図９は第５の実施形態のかご室ミラーが取り付けられたかご室内部の要部断面図である。
【００２６】
本実施形態では、開口部１１を塞ぐプレート状部材１２がくの字形に折曲されており、その外側面にかご室ミラー１３がマグネットや両面テープ等を介して取り付けられている。
【００２７】
かご室ミラー１３は、プレート状部材１２を覆い隠すことができる大きさに形成されており、乗客からはプレート状部材１２や開口部１１が見えにくい。
【００２８】
なお、上述した各実施形態では、本発明のかご室ミラーを幕板に設置した場合について説明したが、インジケータ取り付け用の開口部が幕板以外の内壁に形成されている場合には、この内壁に本発明のかご室ミラーを設置することで、同様の効果を得ることができる。
【００２９】
その他にも、本発明の要旨を逸脱しない範囲で上述した各実施形態に種々の改変を施すことができる。
【図面の簡単な説明】
【００３０】
【図１】第１の実施形態のかご室ミラーが取り付けられたかご室内部の正面図。
【図２】図１のＡ−Ａ線断面図。
【図３】第２の実施形態のかご室ミラーが取り付けられたかご室内部の要部正面図。
【図４】図３のＢ−Ｂ線断面図。
【図５】第３の実施形態のかご室ミラーが取り付けられたかご室内部の要部断面図。
【図６】第４の実施形態のかご室ミラーが取り付けられたかご室内部の要部正面図。
【図７】図６のＣ−Ｃ線断面図。
【図８】第４の実施形態のかご室ミラーの取り付け方法の説明図。
【図９】第５の実施形態のかご室ミラーが取り付けられたかご室内部の要部断面図。
【符号の説明】
【００３１】
１  かご室
６  幕板（内壁）
８  かご内操作盤
１１  開口部
１２  プレート状部材（開口部を塞ぐ部材）
１３  かご室ミラー
【図１】
2007055769.tif 000003
【図２】
2007055769.tif 000004
【図３】
2007055769.tif 000005
【図４】
2007055769.tif 000006
【図５】
2007055769.tif 000007
【図６】
2007055769.tif 000008
【図７】
2007055769.tif 000009
【図８】
2007055769.tif 000010
【図９】
2007055769.tif 000011